(57)【要約】  内臓筋電図（ＥＶＧ）システムと併用されるカテーテル構造体が提供される。カテーテル構造体は、遠位端部及び近位端部を備えた細長い管構造体を有する。３つの電極が管構造体の遠位端部と連携し且つ腹内器官の内部の筋電活動に関連した信号を得て器官内の主要な電気発生経路を含む標的組織の存在場所を突き止めるよう構成されると共に配置されている。管構造体の遠位端部と連携すると共に電極とは別体である治療手段送出構造体が、電極が標的組織のところに信号を得ると同時に標的組織のところに治療手段を提供し、その結果、治療手段の有効性をモニタすることができるようにするよう構成されると共に配置される。【選択図】図１
2015516179.tif 000002
【特許請求の範囲】
【請求項１】
内臓筋電図（ＥＶＧ）システムと併用されるカテーテル構造体であって、前記カテーテル構造体は、
遠位端部及び近位端部を備えた細長い管構造体と、
前記管構造体の前記遠位端部と連携し且つ腹内器官の内部の筋電活動に関連した信号を得て前記器官内の主要な電気発生経路を含む標的組織の存在場所を突き止めるよう構成されると共に配置された３つの電極と、
前記管構造体の前記遠位端部と連携すると共に前記電極とは別体であり且つ前記電極が前記標的組織のところで前記信号を得ると同時に前記標的組織のところに治療手段を提供し、その結果、前記治療手段の有効性をモニタすることができるようにするよう構成されると共に配置される治療手段送出構造体とを有する、カテーテル構造体。
【請求項２】
前記治療手段送出構造体は、前記標的組織を切除するよう構成されると共に配置される、請求項１記載のカテーテル構造体。
【請求項３】
前記治療手段送出構造体は、組織を切断し又は除去するよう構成されると共に配置される、請求項１記載のカテーテル構造体。
【請求項４】
前記カテーテル構造体は、前記標的組織を切除するエネルギー源と組み合わせて用いられ、前記エネルギー源は、高周波エネルギー、マイクロ波エネルギー、超音波エネルギー、極低温エネルギー、レーザエネルギー、熱エネルギー、化学エネルギー若しくは化学作用剤、単極エネルギー又は多極エネルギーである、請求項３記載のカテーテル構造体。
【請求項５】
前記治療手段送出構造体は、前記標的組織を電気的に又は化学的に刺激するよう構成されると共に配置される、請求項１記載のカテーテル構造体。
【請求項６】
前記治療手段送出構造体は、電極を含む、請求項５記載のカテーテル構造体。
【請求項７】
前記治療手段送出構造体は、前記標的組織中に植え込まれて留置されるよう構成されると共に配置されるインプラントを含む、請求項５記載のカテーテル構造体。
【請求項８】
前記治療手段送出構造体は、前記標的組織をマーキングするよう構成されると共に配置される、請求項１記載のカテーテル構造体。
【請求項９】
前記治療手段送出構造体は、前記標的組織をマーキングするインキを送り出すよう構成されると共に配置される針である、請求項８記載のカテーテル構造体。
【請求項１０】
前記標的組織中のホルモン濃度又は細胞特異性化学物質を検出するよう構成されると共に配置されるセンサを更に有する、請求項１記載のカテーテル構造体。
【請求項１１】
前記３つの電極は、前記管構造体内の第１の共通ルーメン内に設けられ、前記治療手段送出構造体は、前記管構造体内の前記第１のルーメンとは別の第２のルーメン内に設けられる、請求項１記載のカテーテル構造体。
【請求項１２】
前記３つの電極の各々は、前記管構造体の前記遠位端部から異なる方向に延びるよう構成されると共に配置されている、請求項１記載のカテーテル構造体。
【請求項１３】
前記カテーテル構造体は、内視鏡と組み合わせて用いられ、前記管構造体の少なくとも一部分は、前記内視鏡内に受け入れられる、請求項１記載のカテーテル構造体。
【請求項１４】
前記カテーテル構造体は、前記ＥＶＧシステムと組み合わせて用いられ、前記器官の前記筋電活動が前記電極によってモニタされている間、患者の呼吸をモニタする別個の呼吸センサが設けられ、前記呼吸センサの信号及び前記電極の信号は、前記治療手段の有効性をモニタするために前記ＥＶＧシステムによって受信される、請求項１記載のカテーテル構造体。
【請求項１５】
患者の腹内身体器官に治療手段を提供する方法であって、前記方法は、
ａ）電極及び前記電極とは別体の治療手段送出構造体を有するカテーテル構造体を用意するステップと、
ｂ）前記カテーテル構造体を前記器官の内腔中に内視鏡下で挿入するステップと、
ｃ）前記電極を用いて前記器官の基線内臓筋電図（ＥＶＧ）律動を求めるステップと、
ｄ）前記器官の筋電活動に関連した信号を前記電極により得て前記期間中の主要な電気発生経路を含む標的組織の存在場所を突き止めるステップと、
ｅ）前記電極が前記標的組織のところで前記信号を得ると同時に前記治療手段送出構造体により治療手段を前記標的組織のところに提供するステップと、
ｆ）前記信号を評価して提供された前記治療手段の有効性を判定するステップと、
ｇ）提供された前記治療手段の結果を前記基線ＥＶＧ律動と比較するステップとを含む、方法。
【請求項１６】
前記比較ステップ後、結果としての前記提供された治療手段が適切ではない場合、前記方法は、ステップｄ）〜ステップｇ）を繰り返す、請求項１５記載の方法。
【請求項１７】
治療手段を提供する前記ステップは、前記標的組織を少なくとも部分的に切除するステップを含む、請求項１５記載の方法。
【請求項１８】
治療手段を提供する前記ステップは、前記標的組織を少なくとも部分的に刺激するステップを含む、請求項１５記載の方法。
【請求項１９】
治療手段を提供する前記ステップは、前記標的組織の一部分中に前記標的組織を刺激する前記刺激器具を植え込むステップを含む、請求項１５記載の方法。
【請求項２０】
前記治療手段を受け入れるよう前記標的組織の特定の組織を識別するために前記標的組織中のホルモン濃度又は細胞特異性化学物質を検出するセンサを用いるステップを更に含む、請求項１５記載の方法。
【請求項２１】
前記患者の呼吸をモニタする呼吸センサを用意するステップと、
内臓筋電図（ＥＶＧ）システムを用いて前記呼吸センサからの信号を受信し、アーチファクトを突き止めると共に前記電極からの前記信号を受信し、その結果、前記ＥＶＧシステムが前記比較ステップ及び前記評価ステップを実施するようにするステップとを更に含む、請求項１５記載の方法。
【発明の詳細な説明】
【技術分野】
【０００１】
本発明は、内視鏡カテーテル、特に身体の器官内の主要な電気発生経路の存在場所を突き止めて治療手段を突き止められた経路に送出すると共に送出された治療手段を評価するカテーテル構造体及び方法に関する。
【背景技術】
【０００２】
胃の筋電活動は、徐波又はペースセッター電位及び活動電位の活動を含む。原因不明の消化不良症状又は原因不明の嘔気（吐き気）及び嘔吐のある患者に関し、消化性潰瘍疾患、逆流疾患又は胆の異常の所見がない場合、これら症状についての明らかな原因がない場合が多い。胃の律動異常は、これら患者における頻繁な病態生理学的所見である。胃律動異常は、ブラディーガストリア（bradygastria）（１．０〜２．５ｃｐｍ）及びタッキーガストリア（tachygastria）（３．７〜１０．０ｃｐｍ）と呼ばれる。これら胃律動異常は、消化不良症状が存在する多くの互いに異なる患者群で認められている。
【０００３】
米国特許第６，７９５，７２５（Ｂ２）号明細書は、人間の器官又は臓器の筋電活動を記録するために内視鏡により直視下で人間の器官又は臓器、例えば胃の中に配置可能なカテーテル構造体を開示している。これら記録は、基線のところ及び種々の食べ物又は薬剤に応答した他の活動において正常な３‐ｃｐｍ活動の存在を示している。カテーテル構造体は、胃の筋電活動の源の存在場所を突き止めるうえで効果的であるが、カテーテル構造体は、筋電活動源のところに治療を施し又は治療手段を提供するうえで制約がある。
【先行技術文献】
【特許文献】
【０００４】
【特許文献１】米国特許第６，７９５，７２５（Ｂ２）号明細書
【発明の概要】
【発明が解決しようとする課題】
【０００５】
したがって、人間の器官内の主要な電気発生経路の存在場所を突き止めることができるだけでなくそれと同時に種々の治療手段を送出して突き止められた経路を有する組織のところでの治療手段の有効性を評価することができるカテーテル構造体を提供することが要望されている。
【課題を解決するための手段】
【０００６】
本発明の一目的は、上述の要望を満たすことにある。本発明の原理に従って、この目的は、内臓筋電図（ＥＶＧ）システムと併用されるカテーテル構造体を提供することによって達成される。カテーテル構造体は、遠位端部及び近位端部を備えた細長い管構造体を有する。３つの電極が管構造体の遠位端部と連携し且つ腹内器官の内部の筋電活動に関連した信号を得て器官内の主要な電気発生経路を含む標的組織の存在場所を突き止めるよう構成されると共に配置されている。管構造体の遠位端部と連携すると共に電極とは別体である治療手段送出構造体が、電極が標的組織のところに信号を得ると同時に標的組織のところに治療手段を提供し、その結果、治療手段の有効性をモニタすることができるようにするよう構成されると共に配置される。
【０００７】
本発明の別の観点によれば、患者の腹内身体器官に治療手段を提供する方法が提供される。この方法は、電極及び電極とは別体の治療手段送出構造体を有するカテーテル構造体を用意するステップを有する。カテーテル構造体を器官の内腔中に内視鏡下で挿入する。電極を用いて器官の基線内臓筋電図（ＥＶＧ）律動を求める。器官の筋電活動に関連した信号を電極により得て期間中の主要な電気発生経路を含む標的組織の存在場所を突き止める。電極が標的組織のところに信号を得ると同時に治療手段送出構造体により治療手段を標的組織のところに提供する。信号を評価して提供された治療手段の有効性を判定する。提供された治療手段の結果を基線ＥＶＧ律動と比較する。
【０００８】
本発明の他の目的、他の特徴及び他の特性並びにカテーテル構造体の関連要素の機能、部品の組み合わせ及び製造の経済性は、全てが本明細書の一部をなす添付の図面を参照して以下の詳細な説明及び添付の特許請求の範囲の記載を検討すると明らかになろう。
【０００９】
本発明の内容は、添付の図面と関連して本発明の好ましい実施形態の以下の詳細な説明を読むと良好に理解されよう。なお、図中、同一の参照符号は、同一の部分を示している。
【図面の簡単な説明】
【００１０】
【図１】本発明の原理に従って提供されたカテーテル構造体の斜視図であり、カテーテル構造体がカテーテル構造体の電極及び治療手段送出構造体が胃の標的組織に係合した状態で胃の中に挿入されているものとして示された図である。
【図２】図１のカテーテル構造体の拡大遠位側端面図である。
【図３】電極及び治療手段送出構造体用の別々のルーメンを有する第２の実施形態としてのカテーテル構造体の拡大遠位側端面図である。
【図４】第３の実施形態としてのカテーテル構造体の拡大遠位側端面図であり、治療手段送出構造体としてインプラントを示す図である。
【図５】針の形態をした治療手段送出構造体の別の実施形態の部分図である。
【図６】第４の実施形態として提供されたカテーテル構造体の遠位端部の拡大側面図である。
【図７】カテーテル構造体を用いて、切除されるべき組織の最適存在場所を突き止めると同時に切除の効果を評価するようモニタするステップを示す流れ図である。
【図８】カテーテル構造体を用いて、刺激されるべき組織の最適存在場所を突き止めると同時に刺激の効果を評価するようモニタするステップを示す流れ図である。
【図９】カテーテル構造体を用いて治療されるべき組織の最適存在場所を突き止めてこの組織をマーキングし、それと同時にマーキングの効果を評価するようモニタするステップを示す流れ図である。
【発明を実施するための形態】
【００１１】
図１を参照すると、本発明に従って提供されたカテーテル構造体が全体を参照符号１０で示されていて、内視鏡１２を介して人間の器官、例えば胃１４内に挿入された状態で示されている。カテーテル構造体１０は遠位端部１８及び近位端部２０を備えた細長い管構造体１６を有する。３つの電極２２が、好ましくは管構造体１６の遠位端部１８に対して実質的に引っ込められた位置から遠位端部１８から直接延びる作業位置に動かされるよう管構造体１６の遠位端部１８と連係する。信号線２４が電極から信号を得るために各電極２２と連係しており、これについては以下により詳細に説明する。信号線２４は、管構造体１６内でその近位端部２０まで延びている。カテーテル構造体１０の端面図が図２に示されている。
【００１２】
電極２２とは別体の治療手段送出構造体２５も又、カテーテル構造体１０の管構造体１６内に設けられている。図１及び図２の実施形態では、治療手段送出構造体２５は、電極２２と一緒に管構造体１６内の全体として中央に設けられている。しかしながら、治療手段送出構造体２６は、電極２２に対して任意の向きに設けられても良く、かくして、中央に配置される必要はない。変形例として、図３を参照すると、第１のルーメン２７がカテーテル１０′の管構造体１６′内で、電極２２の全てを収容しても良く、しかも第２の別個のルーメン２８が治療手段送出構造体２５を収容しても良い。
【００１３】
人間の器官１４の生理学的機能にマイナスの影響を及ぼすことを目的として、例えば器官の正常な生理学的機能に対してマイナスの作用効果を生じさせることによって治療上の影響を及ぼすことを目的として、治療手段送出構造体２５は、人間の器官１４の標的組織３１にエネルギーを送出するためのエネルギー源３０に連結された器具である。特に、治療手段送出構造体２５は、１）高周波エネルギーを送出して器官の組織を切除する高周波切除（アブレーション）器具、例えば針２９、２）マイクロ波エネルギーを送出して器官の組織を切除するマイクロ波切除器具、３）超音波エネルギーを送出して器官の組織を切除する超音波切除器具、４）極低温エネルギーを送出して器官の組織を凍結させて死滅させる極低温切除器具、５）レーザエネルギーを送出して器官の組織を切除するレーザ切除器具であるのが良く、これらの器具は全て、米国特許出願公開第２００５／０２４０２３９（Ａ１）号明細書に開示されており、この米国特許出願公開を参照により引用し、その記載内容を本明細書の一部とする。理解できるように、治療手段送出構造体２５は、上述の手段の他に、化学エネルギー若しくは化学作用剤、熱エネルギー、機械的な源、単極、多極又はインピーダンス制御高周波電気エネルギー又は他のエネルギー源を用いることによって人間の器官の組織を変えることができる任意の器具であって良い。本明細書で用いられる「切除」という用語は、組織１４の生理学的機能に治療上マイナスの影響を及ぼすために組織を変える、例えば、切断し、破壊し、燃やし、死滅させる等の任意の手段を含むことができる。
【００１４】
人間の器官１４の生理学的機能にマイナスの影響を及ぼすのではなく、プラスの影響を提供したいと考える場合がある。これらの状況において、組織を切除するのではなく、組織は、電気的又は化学的に刺激され、或いは、組織は、後で行う治療のためにマーキングされる。例えば、組織を電気的に刺激するために、エネルギー源３０は、好ましくは、電気エネルギーであり、治療手段送出構造体２５は、好ましくは、人間の器官１４の標的組織に係合してこれに電気的刺激を与える電極３３（図６）を有する。変形例として、より永続的な手段のため、図４を参照すると、治療手段送出構造体２５′は、管構造体１６″内に設けられるインプラント３２として電気刺激器具を有しても良い。インプラント３２は、その端部のところに棘３４を有するのが良く、このインプラントをカテーテル１０′により送って以下に詳細に説明するように人間の器官１４の標的組織３１内に植え込んで留置するのが良い。インプラント３２を治療手段送出構造体２５′のプランジャ（図示せず）によって送ることができる。電気刺激を提供する代わりに、インプラント３２は、合成物質、細胞、組織／生体工学組織及び／又は化学物質を提供することができる。
【００１５】
標的組織３１をマーキングするため、図５に示されているように、治療手段送出構造体２５″は、例えば墨汁３５を送り出す針を含んでも良く、或いは標的組織３１又は近くの組織を部分的に加熱して穏やかに焼くことができる器具であっても良い。図５の実施形態は、治療手段送出構造体２５のための別個のルーメン２８を示しているので、墨汁３５のための針をルーメン２８内に設けて組織をマーキングすることができる。しかる後、針をルーメン２８から取り出して次に別の治療手段送出構造体、例えば電極３３又は切除器具をルーメン２８中に挿入してマーキングされた組織に対して処置又は治療手段を提供することができる。
【００１６】
人間の器官１４中に挿入されているとき、電極２２及び治療手段送出構造体２５は、挿入位置にある。具体的に説明すると、電極２２及び治療手段送出構造体２５は、引っ込められて管構造体１６の遠位端部１８の近くに配置される。図示の実施形態では、電極２２は、腹腔内の胃（又は他の中腔器官）１４からの筋電活動を記録するために胃体３８及び／又は胃室４０の内腔３６中に送り込まれる。
【００１７】
電極２２及び治療手段送出構造体２５は、標準型内視鏡１２の生検チャネルに通されている管構造体１６を経て送られる。図示の実施形態では、３つの電極２２が設けられ、１つの電極は、正の信号のためのものであり、もう１つは負の信号のためのものであり、残りの１つは、アースのためのものである。各電極２２は、記録電極であり、好ましくは、米国特許第６，７９５，７２５（Ｂ２）号明細書に開示されている形式のものであり、この米国特許を参照により引用し、その開示内容を本明細書の一部とする。
【００１８】
一実施形態では、電極２２及び治療手段送出構造体２５を引っ込み位置と伸長位置との間で動かすため、作動構造体４２，４４が設けられている。この実施形態では、作動構造体は、例えば、電極２２と作動的に関連していて管構造体１６の近位端部のところで別個に又は一斉に手動で動くことができる１本又は２本以上のワイヤ４２であるのが良い。例えば、図１は、ワイヤ４２に結合された単一のプランジャ４４を示している。プランジャ４４を動かすと、電極２２が一斉に伸長したり引っ込んだりする。変形例として、標的組織３１がどこにあるかを調べるために電極２２を引っ込めたり再位置決めしたりするのではなく、図６を参照すると、カテーテル１０′″は、管構造体１６内に複数のルーメン４６を有しても良い。各ルーメン４６は、別個の電極２２を収容し、各電極２２を別々に互いに異なる方法に差し向けて診断上の追跡場所を拡張することができると共に多処置及び検出部位の実現を可能にする。図６の実施形態では、電極は、人間の器官１４に対するカテーテル１０″の挿入及び人間の器官１４からのカテーテル１０″の抜去を容易にするよう引っ込み可能であるのが良い。
【００１９】
図１を参照すると、管構造体１６が内視鏡を経て器官１４内に配置されると、電極２２を伸長させてこれを粘膜内層４８に当て又はこれら電極が粘膜を好ましくは２〜４ｍｍの深さまで穿刺する。伸長位置では、電極は、約１〜１０ｍｍの間隔を置いて配置されると共に実質的に共通の曲面上に配置される。このように、カハール及び／又は平滑筋及び／又は腸壁ニューロンの間質細胞からの胃筋電活動が３つの電極２２から記録される。各電極２２の出力は、生の信号である。特に、生の信号は、胃の筋電活動を反映した粘膜内層４８から記録される生体電気信号である。電極２２の出力は、好ましくは米国特許第７，１２４，６５４号明細書に開示された形式の内臓筋電図（ＥＶＧ）システム５０に送られ、この米国特許を参照により引用し、その開示内容を本明細書の一部とする。
【００２０】
患者からの呼吸速度も又、患者の胸部上に配置されたセンサ５２により検出される。センサ５２からの呼吸信号は、患者の呼吸運動及び／又は身体運動により引き起こされるアーチファクトをモニタするためにシステム５０によって用いられる。器官１４内の各部位のところの電気的記録は、少なくとも２分間続くが、実行可能なほど長く続くのが良い。システム５０によって受信される電極２２からの信号は、標的組織３１の存在場所を突き止めるために人間の器官１４内（胃の中、例えばペースメーカー領域）の主要な電気発生経路の存在場所を突き止めるために用いられる。電極２２を人間の器官１４周りに動かしてこれらの電気発生経路を見つけることが必要な場合がある。システム５０からのデータは、米国特許第７，１２４，６５４号明細書に開示されているように信号を分析すると共に筋電活動を研究するための解釈のために臨床上妥当な分析を実施するよう医師によって使用されるのが良い。
【００２１】
上述したように、電極２２は、処置又は治療のために標的組織３１の存在場所を突き止めるために用いられる。しかしながら、治療されるべき組織の正確な存在場所を突き止めることができるようにするために、図３を参照すると、カテーテル１０′は、バイオプローブ又はセンサ５４を備えるのが良い。センサ５４は、治療のために標的組織３１内の最も最適なレベルの存在場所を突き止めるようホルモン濃度又は細胞特異性化学物質を検出するよう構成されると共に配置される。
【００２２】
図７を参照すると、人間の器官内の標的組織を切除する方法が示されている。ステップ５６では、カテーテル構造体１０を胃１４の中に挿入すると、粘膜内層４８と係合した電極２２からの信号を用いて基線内臓筋電図（ＥＶＧ）又はＥＧＧ律動をＥＶＧシステム５０によって求める。ステップ５８では、電極２２及びＥＶＧシステム５０を用いて治療手段の適用のための最適場所（標的組織３１）を突き止める。ステップ６０において、治療手段送出構造体２５を最適場所に動かす。ステップ６２において、治療手段送出構造体２５を用いて最適場所に位置する標的組織３１を少なくとも部分的に切除し、切除結果を電極２２（依然として、最適場所に位置したままである）及びＥＶＧシステム５０により同時にモニタする。切除により、人間の器官又は胃１４の生理学的機能に対してマイナスの影響が及ぼされる。ステップ６４において、治療手技（切除）の効果を電極２２及びＥＶＧシステム５０により評価する。ステップ６６において、治療後結果をＥＶＧシステム５０のプロセッサによりステップ５６の基線所見と比較する。ステップ６８において、適当な結果が達成された場合、この方法を終了させ、もしそうでなければ、この方法は、ステップ５８に戻る。
【００２３】
図８を参照すると、人間の器官内の標的組織を刺激する方法が示されている。ステップ７０では、カテーテル構造体１０を胃１４の中に挿入すると、粘膜内層４８と係合した電極２２からの信号を用いて基線内臓筋電図（ＥＶＧ）又はＥＧＧ律動をＥＶＧシステム５０によって求める。ステップ７２では、電極２２及びＥＶＧシステム５０を用いて治療手段の適用のための最適場所（標的組織３１）を突き止める。ステップ７４において、治療手段送出構造体２５を最適場所に動かす。ステップ７６において、治療手段送出構造体２５を用いて最適場所に位置する標的組織３１を少なくとも部分的に電気的に刺激し、刺激結果を電極２２（依然として、最適場所に位置したままである）及びＥＶＧシステム５０により同時にモニタする。ステップ７６は、図５の電極３３を用いて組織を刺激するステップを含んでも良く又は図４のインプラント３２を組織内に配置してこの組織を刺激するステップを含んでも良い。電気的刺激により、人間の器官又は胃１４の生理学的機能に対してプラスの影響が及ぼされる。ステップ７８において、刺激効果を電極２２及びＥＶＧシステム５０により評価する。ステップ７８において、刺激後結果をＥＶＧシステム５０のプロセッサによりステップ７０の基線所見と比較する。ステップ８０において、適当な結果が達成された場合、この方法を終了させ、もしそうでなければ、この方法は、電極３３が用いられた場合、ステップ７２に戻る。インプラント３２を用いた場合、インプラントを組織から取り出し、次に、この方法は、ステップ７２に戻ってインプラント３２を配置するための良好な場所を突き止める。
【００２４】
図９を参照すると、人間の器官内の標的組織をマーキングする方法が示されている。ステップ８４では、カテーテル構造体１０を胃１４の中に挿入すると、粘膜内層４８と係合した電極２２からの信号を用いて基線内臓筋電図（ＥＶＧ）又はＥＧＧ律動をＥＶＧシステム５０によって求める。ステップ８６では、電極２２及びＥＶＧシステム５０を用いて治療手段の適用のための最適場所（標的組織３１）を突き止める。ステップ８８において、治療手段送出構造体２５を最適場所に動かす。ステップ９０において、治療手段送出構造体２５を用いて最適場所のところ又はその近くに位置する標的組織３１を少なくとも部分的にマーキングし、マーキング結果を電極２２（依然として、最適場所に位置したままである）及びＥＶＧシステム５０により同時にモニタする。ステップ９２において、マーキング効果を電極２２及びＥＶＧシステム５０により評価する。ステップ９４において、マーキング後の結果をＥＶＧシステム５０のプロセッサによりステップ８４の基線所見と比較する。ステップ９６において、適当な結果が達成された場合、この方法を終了させ、もしそうでなければ、この方法は、ステップ８６に戻る。
【００２５】
上述の実施形態のカテーテル構造体に関し、
１．筋電活動の最適な存在場所又は源をＥＶＧシステム５０によって突き止めることができる。というのは、電極２２は、内視鏡１２により直視下で器官の内部に配置されるからである。
２．腹部筋組織、脂肪組織又は皮膚からの干渉なしに筋電活動の頻度及び大きさが直接測定される。
３．正常な電気経路を突き止めるために器官中の電気パターンを写像することができる。
４．種々の疾患又は障害に関する器官中の電気パターンを写像することができ、そしてこれら疾患及び障害における電気的ネットワークに対する損傷の程度を求めることができる。
５．電極２２のモニタと同時に治療手段送出構造体２５は、最適場所の組織を切除し、刺激し又はマーキングする。
６．電極２２及びＥＶＧシステム５０は、切除、刺激又はマーキングの評価を可能にする。というのは、電極は、切除手技中、刺激手技中又はマーキング手技中、最適場所で組織内に留まっているからである。
７．胃の電気的活動を変更して食欲を制限し又は食欲を刺激することができる。
８．患者が鎮静されると共に筋電活動が器官の内層のところでモニタされるので、呼吸センサ５２を用いることによって呼吸により生じるアーチファクトを考慮に入れることができる。
【００２６】
カテーテル構造体は、胃の内部で使用されるものとして図示されているが、理解できるように、カテーテル構造体は、以下の他の器官、例えば十二指腸、空腸、総胆管、直腸、Ｓ状結腸、回腸終末部、上行結腸、横行結腸、膀胱、子宮及び卵管内で使用可能に設計される場合、その長さを変化させることによって改造できる。
【００２７】
上述の好ましい実施形態を本発明の構造的及び機能的原理を説明する目的で並びに好ましい実施形態を採用する方法を説明する目的で図示すると共に説明したが、かかる好ましい実施形態は、かかる原理から逸脱しないで変更が可能である。したがって、本発明は、添付の特許請求の範囲に記載された本発明の精神の範囲内に含まれる全ての改造例を含む。
【図１】
2015516179.tif 000003
【図２】
2015516179.tif 000004
【図３】
2015516179.tif 000005
【図４】
2015516179.tif 000006
【図５】
2015516179.tif 000007
【図６】
2015516179.tif 000008
【図７】
2015516179.tif 000009
【図８】
2015516179.tif 000010
【図９】
2015516179.tif 000011
【国際調査報告】
2015516179.tif 000012